(57)【要約】【課題】  防爆式の測定機器から測定結果を受信することのできる携帯型データ記憶装置を提供する。【解決手段】  携帯型データ記憶装置２は防爆構造から成り、操作部２ａと、光通信を介して防爆型はかりから測定結果等のデータ情報を送受信する送受信部２ｂと、得られた測定結果を表示するための表示部２ｃと、測定結果を記憶する記憶部、及びこの携帯型データ記憶装置２の移動させるためのＣＰＵ、電源部から構成されている。作業者はこの携帯型データ記憶装置２を携帯し、危険地帯に入り、光通信により送受信部２ｂを介して測定データを記憶部に記憶する。測定が終了すると、危険地帯から出て、安全地帯に設置した通常のパソコン等に記憶部に記憶されている測定結果を送信する。【選択図】        図２
2005228221.tif 000002
【特許請求の範囲】
【請求項１】
危険地帯内の防爆が必要な施設内に配置し所望のデータを収集するデータ収集装置と、該データ収集装置で収集し無線伝送されたデータを前記危険地帯内においてその内容を確認しながら取り込んで記憶する防爆型の携帯型データ記憶装置と、防爆が必要でない安全地帯に配置し前記携帯型データ記憶装置に記憶されたデータを受信して所望の処理を行うデータ処理装置とを備えたことを特徴とする防爆型データ収集システム。
【請求項２】
前記危険地帯内における前記収集したデータの無線伝送は、光信号により行うことを特徴とする請求項１に記載の防爆型データ収集システム。
【請求項３】
前記危険地帯内における前記収集したデータの無線伝送は、微弱電波により行うことを特徴とする請求項１に記載の防爆型データ収集システム。
【請求項４】
前記携帯型データ記憶装置は、前記データ収集装置から無線伝送によりデータを受信するデータ受信部と、前記受信したデータを表示する表示部と、前記受信したデータを記憶するデータ記憶部と、該データ記憶部に記憶した前記データを前記データ処理装置に送出するデータ送出部と、前記データ受信部、前記データ記憶部及び前記データ送出部の動作を制御する中央処理部と、該中央処理部を介して所望の動作を行わせる操作部とを備えたことを特徴とする請求項１に記載の防爆型データ収集システム。
【発明の詳細な説明】
【技術分野】
【０００１】
本発明は、例えば防爆用施設で得られるデータを対象とする防爆型データ収集システムに関するものである。
【背景技術】
【０００２】
プラント内に設置された測定装置に対して、作業者が巡回し、ケーブルを接続して収集されたデータを取り込むことはよく行われている。
【発明の開示】
【発明が解決しようとする課題】
【０００３】
しかしながら、引火等により爆発の危険性のあるプラントにおいては、ケーブルを接続し、データを収集することは極めて危険であり、例えば測定結果を印字するには防爆対策を十分に施したケーブルと、高価な防爆プリンタを使用する必要がある。
【０００４】
また、安価な非防爆プリンタを使用するためには、安全地帯にこのプリンタを設置し、危険地帯から安全地帯までケーブルを敷設し、少なくとも危険地帯においては防爆構造のケーブルとしなければならない。
【０００５】
また、電波や光を発信してデータを送信することも考えられるが、安全地帯までデータ信号を到達させるには、大きな電力を使用することになり危険性がある。
【０００６】
本発明の目的は、上述の問題点を解消し、安価に危険地帯のデータ情報を収集することができる防爆型データ収集システムを提供することにある。
【課題を解決するための手段】
【０００７】
上記目的を達成するための本発明に係る防爆型データ収集システムは、危険地帯内の防爆が必要な施設内に配置し所望のデータを収集するデータ収集装置と、該データ収集装置で収集し無線伝送されたデータを前記危険地帯内においてその内容を確認しながら取り込んで記憶する防爆型の携帯型データ記憶装置と、防爆が必要でない安全地帯に配置し前記携帯型データ記憶装置に記憶されたデータを受信して所望の処理を行うデータ処理装置とを備えたことを特徴とする。
【発明の効果】
【０００８】
本発明に係る防爆型データ収集システムによれば、危険地帯においては無線による伝送によって携帯型データ記憶装置にデータを記憶させ、この携帯型データ記憶装置を安全地帯に持ち出すことにより、得られたデータを安全に取り出すことができる。
【発明を実施するための最良の形態】
【０００９】
本発明を図示の実施例に基づいて詳細に説明する。
【実施例１】
【００１０】
図１は本実施例における防爆型データ収集システムの概略図、図２は図１に示す防爆型データ収集システムに用いる携帯型データ記憶装置の斜視図、図３は携帯型データ記憶装置のブロック回路構成図を示している。
【００１１】
この防爆型データ収集システムは、危険地帯Ｄに設置し防爆構造の例えば防爆型はかり１と、危険地帯Ｄ及び安全地帯Ｓで使用可能な防爆構造の携帯型データ記憶装置２と、安全地帯Ｓ内に設けた非防爆型のデータ処理装置３とから構成されている。
【００１２】
この防爆型はかり１には、測定データを収集すると共に、その測定データを携帯型データ記憶装置２に無線伝送するためのデータ収集部１ａが設けられている。また、携帯型データ記憶装置２は操作釦等から成る操作部２ａと、光通信を介して防爆型はかり１に対し測定結果等のデータ情報を送受信する送受信部２ｂと、得られた測定結果や操作部２ａによる操作コマンド等を表示するための表示部２ｃと、得られたデータ情報を記憶する記憶部２ｄ及びこのデータ記憶装置２を作動させるためのＣＰＵ２ｅ、電源部２ｆとから構成されている。
【００１３】
例えば、作業者はこの携帯型データ記憶装置２を携帯して防爆地帯Ｄに入り、防爆型はかり１の近傍にこの携帯型データ記憶装置２を置き、送受信部２ｂから防爆型はかり１に例えば光信号を伝送し、データ収集部１ａに蓄積されている測定データを光信号を用いて収集する。測定データは光通信により送受信部２ｂを介して記憶部２ｄに記憶される。また、必要に応じて表示部２ｃには、防爆型はかり１との送受信の接続確認、測定結果、エラーメッセージ等が表示される。
【００１４】
そして、測定データ等のデータ受信が終了すると、作業者はこの携帯型データ記憶装置２を持って、防爆地帯Ｄから出て、安全地帯Ｓに設置してある通常のパソコン等から成るデータ処理装置３の記憶部３ａに、記憶部２ｄに記憶されている測定データを取り込む。そして、データ処理装置３を用いて、測定データを集計したり、表計算を行ったり、安価な非防爆型プリンタ３ｂを用いて測定結果を印刷することができる。
【００１５】
携帯型データ記憶装置２に表示部２ｃを設けることにより、安全地帯Ｓのパソコン等を介さなくても、危険地帯Ｄにおいて測定データを視認することができ、データ受信をしながら測定データを確認することもできる。また、表示部２ｃを複数行にすることにより、過去の測定データを表示したり、操作部２ａを操作することにより、画面をスクロールし、過去の測定データを表示することもできる。
【産業上の利用可能性】
【００１６】
なお、１台の携帯型データ記憶装置２により、例えば複数の防爆型測定機器等から測定データを受信することができ、一定時間毎に危険地帯Ｄの各測定機器を巡回し、各測定機器の測定結果を収集することができる。
【００１７】
実施例においては、防爆型はかり１と携帯型データ記憶装置２の通信に光通信を用いたが、微少なエネルギを用いて電波、電磁誘導、超音波、音波によっても通信を行うこともできる。
【図面の簡単な説明】
【００１８】
【図１】防爆型データ収集システムの概略図である。
【図２】携帯型データ記憶装置の斜視図である。
【図３】携帯型データ記憶装置のブロック回路構成図である。
【符号の説明】
【００１９】
１  防爆型はかり
１ａ  データ収集部
２  携帯型データ記憶装置
２ａ  操作部
２ｂ  送受信部
２ｃ  表示部
２ｄ  記憶部
２ｅ  ＣＰＵ
２ｆ  電源部
３  データ処理装置
３ａ  記憶部
３ｂ  非防爆型プリンタ
【図１】
2005228221.tif 000003
【図２】
2005228221.tif 000004
【図３】
2005228221.tif 000005